(57)【特許請求の範囲】
【請求項１】
種々の機能を実現するための複数のハードウェアを有する情報処理装置であって、
前記複数のハードウェアの少なくとも１つのハードウェアと連携して所望の機能を実現するアプリケーションプログラムの入力を受け付けるプログラム受付部と、
前記プログラム受付部で受け付けたアプリケーションプログラムを解析して、前記アプリケーションプログラム内に記述された前記ハードウェアを用いた所定の機能を実現する所定の機能プログラムを抽出する解析部と、
前記解析部で抽出された前記所定の機能プログラムの配列順序に基づいて前記受け付けたアプリケーションプログラムを分類する分類部とを備える、情報処理装置。
【請求項２】
前記プログラム受付部は、複数のアプリケーションプログラムの入力を受け付け、
前記受け付けた複数のアプリケーションプログラムにそれぞれ対応して、各々選択指示するための複数のアイコンがそれぞれ設けられ、
前記複数のアイコンを表示するための表示部をさらに備え、
前記複数のアイコンは、前記分類部で分類された結果に基づいて分類されてそれぞれ表示される、請求項１記載の情報処理装置。
【請求項３】
機能がそれぞれ異なる複数の所定の機能プログラムに関する情報が格納された記憶部をさらに備え、
前記解析部は、前記記憶部に格納されている前記複数の所定の機能プログラムに関する情報に基づいて前記アプリケーションプログラム内に記述されている前記所定の機能プログラムを抽出する、請求項１または２に記載の情報処理装置。
【請求項４】
種々の機能を実現するための複数のハードウェアを有する情報処理装置であって、
前記複数のハードウェアの少なくとも１つのハードウェアと連携して所望の機能を実現するアプリケーションプログラムの入力を受け付けるプログラム受付部と、
前記プログラム受付部で受け付けたアプリケーションプログラムを解析して、前記アプリケーションプログラム内に記述された前記ハードウェアを用いた所定の機能を実現する所定の機能プログラムを抽出する解析部と、
前記解析部で抽出された前記所定の機能プログラムの配列順序に基づいて前記アプリケーションプログラムの名称を作成するアプリケーション名作成部とを備える、情報処理装置。
【請求項５】
前記受け付けたアプリケーションプログラムに対応して、選択指示するためのアイコンが設けられ、
前記アイコンを表示するための表示部をさらに備え、
前記表示部には、前記アイコンとともに作成されたアプリケーションプログラムの名称が表示される、請求項４記載の情報処理装置。
【請求項６】
機能がそれぞれ異なる複数の所定の機能プログラムに関する情報が格納された記憶部をさらに備え、
前記解析部は、前記記憶部に格納されている前記複数の所定の機能プログラムに関する情報に基づいて前記アプリケーションプログラム内に記述されている前記所定の機能プログラムを抽出する、請求項４または５に記載の情報処理装置。
【請求項７】
前記解析部は、前記プログラム受付部で前記アプリケーションプログラムの入力を受け付けた際、あるいは、ユーザーからの指示の入力を受け付けた際、あるいは、所定のタイミングの際に、処理を実行する、請求項１〜６のいずれかに記載の情報処理装置。
【請求項８】
種々の機能を実現するための複数のハードウェアを有する情報処理装置の制御方法であって、
前記複数のハードウェアの少なくとも１つのハードウェアと連携して所望の機能を実現するアプリケーションプログラムの入力を受け付けるステップと、
受け付けたアプリケーションプログラムを解析するステップと、
前記アプリケーションプログラム内に記述された前記ハードウェアを用いた所定の機能を実現する所定の機能プログラムを抽出するステップと、
抽出された前記所定の機能プログラムの配列順序に基づいて前記受け付けたアプリケーションプログラムを分類するステップとを備える、情報処理装置の制御方法。
【請求項９】
種々の機能を実現するための複数のハードウェアを有する情報処理装置の制御方法であって、
前記複数のハードウェアの少なくとも１つのハードウェアと連携して所望の機能を実現するアプリケーションプログラムの入力を受け付けるステップと、
受け付けたアプリケーションプログラムを解析するステップと、
前記アプリケーションプログラム内に記述された前記ハードウェアを用いた所定の機能を実現する所定の機能プログラムを抽出するステップと、
抽出された前記所定の機能プログラムの配列順序に基づいて前記アプリケーションプログラムの名称を作成するステップとを備える、情報処理装置の制御方法。
【請求項１０】
種々の機能を実現するための複数のハードウェアを有する情報処理装置のコンピュータに実行させる制御プログラムであって、
前記制御プログラムは、前記コンピュータに、
前記複数のハードウェアの少なくとも１つのハードウェアと連携して所望の機能を実現するアプリケーションプログラムの入力を受け付けるステップと、
受け付けたアプリケーションプログラムを解析するステップと、
前記アプリケーションプログラム内に記述された前記ハードウェアを用いた所定の機能を実現する所定の機能プログラムを抽出するステップと、
抽出された前記所定の機能プログラムの配列順序に基づいて前記受け付けたアプリケーションプログラムを分類するステップとを備える、処理を実行させる情報処理装置の制御プログラム。
【請求項１１】
種々の機能を実現するための複数のハードウェアを有する情報処理装置のコンピュータに実行させる制御プログラムであって、
前記制御プログラムは、前記コンピュータに、
前記複数のハードウェアの少なくとも１つのハードウェアと連携して所望の機能を実現するアプリケーションプログラムの入力を受け付けるステップと、
受け付けたアプリケーションプログラムを解析するステップと、
前記アプリケーションプログラム内に記述された前記ハードウェアを用いた所定の機能を実現する所定の機能プログラムを抽出するステップと、
抽出された前記所定の機能プログラムの配列順序に基づいて前記アプリケーションプログラムの名称を作成するステップとを備える、処理を実行させる情報処理装置の制御プログラム。
【発明の詳細な説明】
【技術分野】
【０００１】
本発明は、情報処理装置に関し、ネットワークで外部装置と接続された情報処理装置に関する。
【背景技術】
【０００２】
近年、ネットワークと接続された複写機、プリンター等の画像形成装置が一般的になっている。当該画像形成装置においては、外部のサーバ装置、あるいは端末等とネットワークを介して接続されているため当該外部のサーバ装置あるいは端末等からプログラム等の情報を送信して画像形成装置に登録することが可能となっている。そして、当該画像形成装置にアプリケーションプログラム等のソフトウェアが登録されることにより画像形成装置の各種機能の追加、カスタマイズ等の処理が実行されている。例えば、特開２００６−２３５７２１号公報においては適切なデバイスドライバをインストール技術が示されている。
【先行技術文献】
【特許文献】
【０００３】
【特許文献１】特開２００６−２３５７２１号公報
【発明の概要】
【発明が解決しようとする課題】
【０００４】
一方で、会社のオフィス等では複数のユーザーが画像形成装置にアクセスする場合が一般的であり、例えば、各ユーザーが画像形成装置にアプリケーションプログラムをそれぞれ自由に登録した場合、他のユーザーが登録したアプリケーションプログラムと自己が登録したアプリケーションプログラム等が混在し、操作に不便を来たすという問題がある。
【０００５】
本発明は、上記のような問題を解決するためになされたものであって、複数のユーザーが操作可能な環境において、ユーザーの利便性を高めることが可能な画像形成装置を提供することを目的とする。
【課題を解決するための手段】
【０００６】
本発明のある局面に従う情報処理装置は、種々の機能を実現するための複数のハードウェアを有する情報処理装置であって、複数のハードウェアの少なくとも１つのハードウェアと連携して所望の機能を実現するアプリケーションプログラムの入力を受け付けるプログラム受付部と、プログラム受付部で受け付けたアプリケーションプログラムを解析して、アプリケーションプログラム内に記述されたハードウェアを用いた所定の機能を実現する所定の機能プログラムを抽出する解析部と、解析部で抽出された所定の機能プログラムの配列順序に基づいて受け付けたアプリケーションプログラムを分類する分類部とを備える。
【０００７】
好ましくは、プログラム受付部は、複数のアプリケーションプログラムの入力を受け付け、受け付けた複数のアプリケーションプログラムにそれぞれ対応して、各々選択指示するための複数のアイコンがそれぞれ設けられ、複数のアイコンを表示するための表示部をさらに備える。複数のアイコンは、分類部で分類された結果に基づいて分類されてそれぞれ表示される。
【０００８】
好ましくは、機能がそれぞれ異なる複数の所定の機能プログラムに関する情報が格納された記憶部をさらに備え、解析部は、記憶部に格納されている複数の所定の機能プログラムに関する情報に基づいてアプリケーションプログラム内に記述されている所定の機能プログラムを抽出する。
【０００９】
本発明の別の局面に従う情報処理装置は、種々の機能を実現するための複数のハードウェアを有する情報処理装置であって、複数のハードウェアの少なくとも１つのハードウェアと連携して所望の機能を実現するアプリケーションプログラムの入力を受け付けるプログラム受付部と、プログラム受付部で受け付けたアプリケーションプログラムを解析して、アプリケーションプログラム内に記述されたハードウェアを用いた所定の機能を実現する所定の機能プログラムを抽出する解析部と、解析部で抽出された所定の機能プログラムの配列順序に基づいてアプリケーションプログラムの名称を作成するアプリケーション名作成部とを備える。
【００１０】
好ましくは、受け付けたアプリケーションプログラムに対応して、選択指示するためのアイコンが設けられ、アイコンを表示するための表示部をさらに備え、表示部には、アイコンとともに作成されたアプリケーションプログラムの名称が表示される。
【００１１】
好ましくは、機能がそれぞれ異なる複数の所定の機能プログラムに関する情報が格納された記憶部をさらに備え、解析部は、記憶部に格納されている複数の所定の機能プログラムに関する情報に基づいてアプリケーションプログラム内に記述されている所定の機能プログラムを抽出する。
【００１２】
好ましくは、解析部は、プログラム受付部でアプリケーションプログラムの入力を受け付けた際、あるいは、ユーザーからの指示の入力を受け付けた際、あるいは、所定のタイミングの際に、処理を実行する。
【００１３】
本発明のある局面に従う情報処理装置の制御方法は、種々の機能を実現するための複数のハードウェアを有する情報処理装置の制御方法であって、複数のハードウェアの少なくとも１つのハードウェアと連携して所望の機能を実現するアプリケーションプログラムの入力を受け付けるステップと、受け付けたアプリケーションプログラムを解析するステップと、アプリケーションプログラム内に記述されたハードウェアを用いた所定の機能を実現する所定の機能プログラムを抽出するステップと、抽出された所定の機能プログラムの配列順序に基づいて受け付けたアプリケーションプログラムを分類するステップとを備える。
【００１４】
本発明の別の局面に従う情報処理装置の制御方法は、種々の機能を実現するための複数のハードウェアを有する情報処理装置の制御方法であって、複数のハードウェアの少なくとも１つのハードウェアと連携して所望の機能を実現するアプリケーションプログラムの入力を受け付けるステップと、受け付けたアプリケーションプログラムを解析するステップと、アプリケーションプログラム内に記述されたハードウェアを用いた所定の機能を実現する所定の機能プログラムを抽出するステップと、抽出された所定の機能プログラムの配列順序に基づいてアプリケーションプログラムの名称を作成するステップとを備える。
【００１５】
本発明のある局面に従う情報処理装置の制御プログラムは、種々の機能を実現するための複数のハードウェアを有する情報処理装置のコンピュータに実行させる制御プログラムであって、制御プログラムは、コンピュータに、複数のハードウェアの少なくとも１つのハードウェアと連携して所望の機能を実現するアプリケーションプログラムの入力を受け付けるステップと、受け付けたアプリケーションプログラムを解析するステップと、アプリケーションプログラム内に記述されたハードウェアを用いた所定の機能を実現する所定の機能プログラムを抽出するステップと、抽出された所定の機能プログラムの配列順序に基づいて受け付けたアプリケーションプログラムを分類するステップとを備える、処理を実行させる。
【００１６】
本発明の別の局面に従う情報処理装置の制御プログラムは、種々の機能を実現するための複数のハードウェアを有する情報処理装置のコンピュータに実行させる制御プログラムであって、制御プログラムは、コンピュータに、複数のハードウェアの少なくとも１つのハードウェアと連携して所望の機能を実現するアプリケーションプログラムの入力を受け付けるステップと、受け付けたアプリケーションプログラムを解析するステップと、アプリケーションプログラム内に記述されたハードウェアを用いた所定の機能を実現する所定の機能プログラムを抽出するステップと、抽出された所定の機能プログラムの配列順序に基づいてアプリケーションプログラムの名称を作成するステップとを備える、処理を実行させる。
【発明の効果】
【００１７】
本発明に従えば、複数のユーザーが操作可能な環境において、ユーザーの利便性を高めることができる。
【図面の簡単な説明】
【００１８】
【図１】本発明の実施の形態に従う画像形成装置１００にアプリケーションプログラムを登録する場合について説明する図である。
【図２】本発明の実施の形態に従う画像形成装置１００の内部構成を説明する図である。
【図３】本発明の実施の形態に従う操作パネル１１４の構成を説明する概略図である。
【図４】本発明の実施の形態１に従う画像形成装置１００におけるアプリの登録について説明するフロー図である。
【図５】本発明の実施の形態１に従うアプリ解析処理の詳細について説明するフロー図である。
【図６】本発明の実施の形態１に従うアプリの分類処理を説明する図である。
【図７】本発明の実施の形態１に従うアプリの別の分類処理を説明する図である。
【図８】本発明の実施の形態１に従う画像形成装置１００における分類結果を説明する図である。
【図９】本発明の実施の形態１に従うアプリの呼び出しのフロー図である。
【図１０】本発明の実施の形態１に従うアプリの呼び出しに従って分類して表示部３１２に表示した場合の一例を説明する図である。
【図１１】本発明の実施の形態１に従うアプリの呼び出しに従って分類して表示した場合の別の一例を説明する図である。
【図１２】本発明の実施の形態２に従う画像形成装置１００におけるアプリの登録について説明するフロー図である。
【図１３】本発明の実施の形態２に従うアプリの呼び出しに従ってアプリを表示した場合の一例を説明する図である。
【発明を実施するための形態】
【００１９】
以下に図面を参照しつつ本発明の実施の形態について説明する。以下の説明においては同一の部品および構成要素には同一の符号を付してある。それらの名称および機能も同一であるものとする。
【００２０】
（実施の形態１）
図１は、本発明の実施の形態に従う画像形成装置１００にアプリケーションプログラムを登録する場合について説明する図である。
【００２１】
図１を参照して、ここでは、本発明の実施の形態に従う画像形成装置１００に対して複数の情報処理端末からそれぞれアプリケーションプログラムを送信する場合が示されている。
【００２２】
具体的には、複数の情報処理端末であるユーザーＰＣ１〜ＰＣ４からそれぞれのユーザーがアプリケーションプログラム（以下、アプリとも称する）ＡＰ１〜ＡＰ４を送信して画像形成装置１００に対して登録する場合が示されている。
【００２３】
画像形成装置１００にアプリを登録することにより、各ユーザーは、画像形成装置１００にそれぞれ登録されたアプリを呼び出して、各ユーザーは各種のアプリを画像形成装置１００において実行することが可能となる。
【００２４】
図２は、本発明の実施の形態に従う画像形成装置１００の内部構成を説明する図である。
【００２５】
図２を参照して、本発明の実施の形態に従う画像形成装置１００は、ＣＰＵ（Central  Processing  Unit）１０２と、ＲＯＭ（Read Only Memory）１０４と、ＲＡＭ（Random Access Memory）１０６と、ＨＤＤ（Hard Disk Drive）１０８と、通信ＩＦ（Interface）１１０と、Ｆａｘ１１２と、操作パネル１１４と、各部を接続する内部バス１１６と、プリンター１２０と、スキャナー１２２とを含む。
【００２６】
画像形成装置１００の全体制御を司るＣＰＵ１０２は、ＲＯＭ１０４、ＲＡＭ１０６あるいはＨＤＤ１０８等の記憶領域に予め格納されたプログラム等を読出して実行することで各種処理を実行する。本発明の実施の形態に従う処理についても同様である。
【００２７】
通信ＩＦ１１０は、外部のネットワークと接続されており、情報処理端末等からの情報（アプリ等）を受信したり、あるいは、必要な情報を送信したりする。
【００２８】
操作パネル１１４は、各種の情報表示画面や設定画面をユーザーに対して表示する機能と、ユーザーによる操作入力を受付ける機能とを含んだ装置であり、代表的に、その表面にタッチパネルを搭載した液晶パネルなどから構成される。
【００２９】
スキャナー１２２は、イメージ読取機能を実現するための部位であり、原稿を読取ってイメージデータを生成する。代表的に、スキャナー１２２は、原稿をセットするための戴荷台と、原稿台ガラスと、戴荷台にセットされた原稿を原稿台ガラスに自動的に１枚ずつ搬送する搬送部と、読取られた原稿を排出するための排出台とを含む（いずれも図示しない）。
【００３０】
プリンター１２０は、例えば、スキャナー１２２で読取られたイメージデータ、あるいは外部の情報処理端末から送信されるプリントデータに必要に応じて所定の画像処理を施して、印字に適した印字データを作成し、用紙へのイメージの印字処理（プリント処理）を行なう。
【００３１】
Ｆａｘ１１２は、ファクシミリ機能を実現するための部位であり、電話回線（図示しない）を介して、例えば、スキャナー１２２で読取られたイメージデータをユーザーの指定する宛先へ送信する。
【００３２】
画像形成装置１００に入力され、登録されるアプリは、上記のハードウェアの少なくとも１つと連携して所望の機能を実現する。
【００３３】
図３は、本発明の実施の形態に従う操作パネル１１４の構成を説明する概略図である。
図３を参照して、本発明の実施の形態に従う操作パネル１１４は、表示部３１２と、１０キー３０２と、スタートボタン３１０とを含む。なお、その他のキーについては省略している。
【００３４】
表示部３１２上にはタッチパネルが設けられており、表示部３１２上において所定の操作が可能である。１０キー３０２は、コピー等の枚数を入力するためのボタンである。スタートボタン３１０は、コピー／スキャン等の処理の実行を指示するボタンである。
【００３５】
また、表示部３１２には、各種モードの表示やその他の表示が行われる。そして、タッチパネルによって、表示内容に従った各種設定を行なうことができる。例えば、表示部３１２には、通常は、コピー動作やスキャン動作を実行する際に行なう基本的／応用的な設定が可能であるが、所定のボタン（図示せず）を選択することによりユーザーが画像形成装置１００に登録したアプリを実行するためのアイコンが表示されたアプリ選択画面が表示されるものとする。アプリ選択画面については後述する。
【００３６】
図４は、本発明の実施の形態１に従う画像形成装置１００におけるアプリの登録について説明するフロー図である。当該フローは、主にＣＰＵ１０２において実行される処理である。以下のフローにおいても同様である。
【００３７】
図４を参照して、ＣＰＵ１０２は、まず、通信ＩＦ１１０を介して外部からアプリの入力が有ったかどうかを判断する（ステップＳ２）。
【００３８】
次に、ステップＳ２において、アプリの入力が有ったと判断した場合（ステップＳ２においてＹＥＳ）には、次にアプリに記述された内容を解析するアプリ解析処理を実行する（ステップＳ４）。
【００３９】
図５は、本発明の実施の形態１に従うアプリ解析処理の詳細について説明するフロー図である。
【００４０】
図５を参照して、アプリ解析処理において、所定の機能プログラム（機能ＡＰＩ（Application Program Interface））の抽出処理を実行する（ステップＳ２０）。機能ＡＰＩは、画像形成装置に設けられたハードウェアと連携して動作する所定の機能を実現するためのプログラムである。具体的には、所定の機能ＡＰＩのリストが予め登録されており、当該リスト中に記載された機能ＡＰＩがアプリ内の記述された内容に含まれているかどうかを検索する。そして、所定の機能ＡＰＩが含まれていると判断した場合には、当該機能ＡＰＩを抽出する。所定の機能ＡＰＩのリストは、一例としてＨＤＤ１０８に予め登録されているものとする。
【００４１】
次に、抽出した機能ＡＰＩの順序を特定する（ステップＳ２２）。具体的には、アプリ内に記述されていた抽出した機能ＡＰＩの順序を特定する。
【００４２】
そして、処理を終了する（リターン）。
再び、図４を参照して、次に、アプリ解析処理の解析結果に基づいてアプリ分類処理を実行する（ステップＳ６）。具体的には、抽出した所定の機能ＡＰＩの順序とアプリ機能名とが対応付けられた機能順序リストが予め登録されており、当該リスト中から抽出した所定の機能ＡＰＩの順序に対応付けられたアプリ機能名を特定する。機能順序リストは、一例としてＨＤＤ１０８に予め登録されているものとする。
【００４３】
そして、登録する（ステップＳ８）。具体的には、外部から入力されたアプリを特定したアプリ機能名とを対応付けて登録する。具体的には、一例としてＨＤＤ１０８に登録する。
【００４４】
そして、処理を終了する（エンド）。
図６は、本発明の実施の形態１に従うアプリの分類処理を説明する図である。
【００４５】
図６を参照して、本例においては、一例として、アプリ（App_A.html）と、アプリ（App_B.html）とが外部から入力されて登録される場合について説明する。
【００４６】
まず、最初にアプリ（App_A.html）について説明する。
ここでは、アプリ（App_A.html）内に記述された内容として、分割プログラム（Script_A.Scan）が含まれている場合が示されている。
【００４７】
当該分割プログラム（Script_A.Scan）には、所定の機能ＡＰＩ（kmfunc.Scan()）、（kmfunc.Send()）が含まれており、分類テーブルとして格納されている機能ＡＰＩリストが参照されて、当該所定の機能ＡＰＩが抽出される。当該分類テーブルは、予めＨＤＤ１０８に格納されているものとする。
【００４８】
そして、次に、当該所定の機能ＡＰＩ（kmfunc.Scan()）と、機能ＡＰＩ（kmfunc.Send()）との順番で抽出されたことが特定される。
【００４９】
そして、分類テーブルに設けられている機能順序リストＬ１に従って、当該アプリの機能としてスキャンＡタイプ（Scan Atype）であることが特定される。
【００５０】
次に、アプリ（App_B.html）について説明する。
ここでは、アプリ（App_B.html）内に記述された内容として、分割プログラム（Script_B.Print）が含まれている場合が示されている。
【００５１】
当該分割プログラム（Script_B.Print）には、所定の機能ＡＰＩ（kmfunc.Scan()）、（kmfunc.Send()）、（kmfunc.Print()）が含まれており、分類テーブルとして格納されている機能ＡＰＩリストが参照されて、当該所定の機能ＡＰＩが抽出される。
【００５２】
そして、次に、当該所定の機能ＡＰＩ（kmfunc.Scan()）と、機能ＡＰＩ（kmfunc.Send()）と、機能ＡＰＩ（kmfunc.Print()）の順番で抽出されたことが特定される。
【００５３】
そして、分類テーブルに設けられている機能順序リストＬ１に従って、当該アプリの機能としてコピーＢタイプ（Copy Btype）であることが特定される。
【００５４】
当該分類処理によりアプリがそれぞれ分類される。具体的には、入力されたアプリ毎に上記の処理が実行され、アプリが分類されて登録される。
【００５５】
次に、別の機能順序リストについて説明する。
図７は、本発明の実施の形態１に従うアプリの別の分類処理を説明する図である。
【００５６】
図７を参照して、本例においては、一例として、アプリ（App_C.html）と、アプリ（App_D.html）とが外部から入力されて登録される場合について説明する。
【００５７】
まず、アプリ（App_C.html）について説明する。
アプリ（App_C.html）内に記述された内容として、分割プログラム（Script_C.Scan）が含まれている場合が示されている。
【００５８】
当該分割プログラム（Script_C.Scan）には、所定の機能ＡＰＩ（kmfunc.Scan()）、（kmfunc.Send()）が含まれており、分類テーブルとして格納されている機能ＡＰＩリストが参照されて、当該所定の機能ＡＰＩが抽出される。
【００５９】
そして、次に、当該所定の機能ＡＰＩ（kmfunc.Scan()）と、機能ＡＰＩ（kmfunc.Send()）との順番で抽出されたことが特定される。
【００６０】
そして、分類テーブルに設けられている機能順序リストＬ１に従って、当該アプリがスキャンＡタイプ（Scan Atype）であることが特定される。
【００６１】
次に、アプリ（App_D.html）について説明する。
アプリ（App_D.html）内に記述された内容として、分割プログラム（Script_D.Scan）が含まれている場合が示されている。
【００６２】
当該分割プログラム（Script_D.Scan）には、所定の機能ＡＰＩ（kmfunc.Scan()）、（kmfunc.Send()）が含まれており、分類テーブルとして格納されている機能ＡＰＩリストが参照されて、当該所定の機能ＡＰＩが抽出される。
【００６３】
そして、次に、当該所定の機能ＡＰＩ（kmfunc.Scan()）と、機能ＡＰＩ（kmfunc.Send()）との順番で抽出されたことが特定される。
【００６４】
そして、分類テーブルに設けられている機能順序リストＬ１に従って、当該アプリがスキャンＡタイプ（Scan Atype）であることが特定される。
【００６５】
一方で、上記アプリ内に記述された内容として、所定の機能ＡＰＩの順序は同じであるが、アプリ（App_C.html）の方は、機能ＡＰＩがそれぞれ別のスクリプト内に記述されている。一方、アプリ（App_D.html）の方は、機能ＡＰＩがともに同一スクリプト内に記述されている。
【００６６】
本例においては、機能順序リストＬ２に従って、さらに詳細に分類する。具体的には、機能順序リストに基づいて、アプリ（App_C.html）は、スキャンＡ２タイプであることが特定され、アプリ（App_D.html）は、スキャンＡ１タイプであることが特定される。
【００６７】
当該分類により、アプリをさらに詳細に分類することが可能である。
図８は、本発明の実施の形態１に従う画像形成装置１００における分類結果を説明する図である。
【００６８】
図８を参照して、上記処理に基づいて（Ａ）、（Ｂ）においては、入力されたアプリと、アプリ解析結果に基づいて分類された結果が示されている。
【００６９】
具体的には、（Ａ）においては、アプリ（App_A.html）はスキャンＡタイプ、アプリ（App_B.html）はコピーＢタイプ（Copy Btype）に分類された場合が示されている。
【００７０】
同様に、（Ｂ）においては、アプリ（App_C.html）は、スキャンＡ２タイプ、アプリ（App_D.html）は、スキャンＡ１タイプに分類された場合が示されている。
【００７１】
図９は、本発明の実施の形態１に従うアプリの呼び出しのフロー図である。
図９を参照して、まず、アプリの呼び出しがあるかどうかを判断する（ステップＳ１０）。具体的には、図示しない表示部３１２に設けられたアプリ選択画面を表示を指示する所定のボタンが押下されたかどうかを判断する。
【００７２】
ステップＳ１０において、アプリの呼び出しがあると判断した場合（ステップＳ１０においてＹＥＳ）には、次に、分類して表示する（ステップＳ１２）。具体的には、アプリ選択画面が表示されて、当該アプリ選択画面内に登録されたそれぞれのアプリに対応するアイコンが表示されるとともに、当該アイコンが分類されて表示される。
【００７３】
そして、処理を終了する（エンド）。
図１０は、本発明の実施の形態１に従うアプリの呼び出しに従って分類して表示部３１２に表示した場合の一例を説明する図である。
【００７４】
図１０を参照して、入力されたアプリにそれぞれ対応してアイコンが設けられて操作パネル１１４に表示されている場合が示されている。
【００７５】
具体的には、１０個のアプリにそれぞれ対応してアイコンＰ１〜Ｐ１０が表示された場合が示されている。上の表示は分類前の表示である。アプリは分類されていないため種々のアプリに対応するアイコンが混在し、ユーザーが所望のアイコンを検索する必要があり、操作が不便であるという問題があった。
【００７６】
下の表示は分類後の表示である。
本発明の実施の形態１に従う方式に従えば、登録したアプリを分類することが可能であり、分類した内容に従えば、スキャン（Scan）、プリント（Print）、コピー（Copy）とそれぞれに分類してアイコンを表示することが可能である。当該分類により、機能毎に分類されて表示されるため所望のアイコンを検索する場合の負荷が軽減され、操作性がよく利便性が高い。
【００７７】
図１１は、本発明の実施の形態１に従うアプリの呼び出しに従って分類して表示した場合の別の一例を説明する図である。
【００７８】
図１１を参照して、１０個のアプリにそれぞれ対応して設けられるアイコンＰ１〜Ｐ１０について領域を区分けてして表示することにより、機能毎に分類されて表示されるため、所望のアイコンを検索する場合の負荷が軽減され、操作性がよく利便性が高い。なお、色を変える等の方式によりさらに検索が容易となる。
【００７９】
（実施の形態２）
上記の実施の形態１においては、抽出したＡＰＩの順序に従ってアプリを分類して登録する場合について説明したが、本実施の形態２においては、ユーザーの利便性を高めるためにアプリの名称を変更する場合について説明する。
【００８０】
図１２は、本発明の実施の形態２に従う画像形成装置１００におけるアプリの登録について説明するフロー図である。主にＣＰＵ１０２における処理である。当該フローは、主にＣＰＵ１０２において実行される処理である。以下のフローにおいても同様である。
【００８１】
図１２を参照して、ＣＰＵ１０２は、まず、通信ＩＦ１１０を介して外部からアプリの入力が有ったかどうかを判断する（ステップＳ２）。
【００８２】
次に、ステップＳ２において、アプリの入力が有ったと判断した場合（ステップＳ２においてＹＥＳ）には、次にアプリ解析処理を実行する（ステップＳ４）。アプリ解析処理の詳細については上述した図５で説明したのと同様であるのでその詳細な説明は繰り返さない。
【００８３】
次に、アプリ解析処理の解析結果に基づいて名称を作成する（ステップＳ７）。具体的には、上記の解析結果に基づいて対応付けられたアプリ機能名を用いて名称を作成する。
【００８４】
そして、登録する（ステップＳ８）。そして、処理を終了する（エンド）。
図１３は、本発明の実施の形態２に従うアプリの呼び出しに従ってアプリを表示した場合の一例を説明する図である。
【００８５】
図１３を参照して、ここでは、アプリ解析処理に従って、それぞれのアプリについて特定されたアプリ機能名に従って名称が作成されて表示されている場合が示されている。
【００８６】
一例として、スキャン、プリント、コピーのそれぞれアプリが特定されて、当該特定されたアプリに関連づけられた名称を自動作成した場合が示されている。
【００８７】
ここでは、スキャンアプリＡＡ、スキャンアプリＢＢ、スキャンアプリＣＣ、スキャンアプリＤＤ、スキャンアプリＥＥ、プリントアプリＦＦ、プリントアプリＧＧ、プリントアプリＨＨ、コピーアプリＩＩ、コピーアプリＪＪとしてそれぞれ名称が作成されて区別されて表示されている場合が示されている。ここで、「ＡＡ」、「ＢＢ」、「ＣＣ」については例えばアプリを登録したユーザー名を用いるようにすることも可能である。
【００８８】
なお、当該名称の作成方式は一例であり、他の方式に基づいて名称を自動作成することも当然に可能である。
【００８９】
本実施の形態２に従う方式に従って名称を自動作成して表示することにより、アプリの名称に統一がなく、登録したアプリを検索する煩雑さを回避することが可能であり、自動作成した名称に従えば、容易かつ、直感的に当該アプリの機能から登録したアプリを検索することが可能である。当該名称の自動作成により、所望のアイコンを検索する場合の負荷が軽減され、操作性がよく利便性が高い。
【００９０】
なお、上記の実施の形態１と組み合わせて、機能ＡＰＩに基づいて分類するとともに、名称を自動作成するようにすることも可能である。
【００９１】
なお、本発明にかかる画像形成装置は、ＭＦＰに限られず、プリンター装置あるいはファクシミリ装置等であってもよい。
【００９２】
なお、コンピュータを機能させて上述のフローで説明したような制御を実行させるプログラムを提供することも可能である。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。このような記憶媒体としては、フラッシュメモリ、マスクＲＯＭ、ＥＰＲＯＭ（Electronically Programmable Read-Only Memory）、ＥＥＰＲＯＭ（Electronically Erasable Programmable Read-Only Memory）、ＩＣ（Integrated Circuit）カードなどの半導体記憶媒体、ＣＤ−ＲＯＭ（Compact Disc-Read Only Memory）やＤＶＤ−ＲＯＭ（Digital Versatile Disk-Read Only Memory）などの光学ディスク記憶媒体、ＭＯ（Magnetic Optical Disc）やＭＤ（Mini Disc）などの光磁気ディスク記憶媒体、ＦＤ（Flexible Disk）、磁気テープ、カセットテープなどの磁気記憶媒体を用いることができる。
【００９３】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００９４】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００９５】
提供されるプログラム製品は、ハードディスクなどのプログラム格納部にインストールされて実行される。なお、プログラム製品は、プログラム自体と、プログラムが記録された記録媒体とを含む。
【００９６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９７】
１００  画像形成装置、１０２  ＣＰＵ、１０４  ＲＯＭ、１０６  ＲＡＭ、１１４  操作パネル、１１６  内部バス、１２０  プリンター、１２２  スキャナー、３０２  １０キー、３１０  スタートボタン、３１２  表示部。
【図１】
0005884512.tif 000002
【図２】
0005884512.tif 000003
【図３】
0005884512.tif 000004
【図４】
0005884512.tif 000005
【図５】
0005884512.tif 000006
【図６】
0005884512.tif 000007
【図７】
0005884512.tif 000008
【図８】
0005884512.tif 000009
【図９】
0005884512.tif 000010
【図１０】
0005884512.tif 000011
【図１１】
0005884512.tif 000012
【図１２】
0005884512.tif 000013
【図１３】
0005884512.tif 000014